(57)【要約】      （修正有）【課題】小さいネクレス、プレスレット、数珠その他の物品を納入後、簡単に止める、栓、封止部材、封止具、留置を為す収納器を提供する。【解決手段】納入口を設けている品における、該納口を止める、栓、封止部材、封止具、又は留置の機能を有する物品であって、スリット、切り溝、切り込み、切り替え、たすき掛け等の機能、構造、形態、形状を単数、複数又は組み合わせ設定する。【選択図】図１
2017000648.tif 000002
【特許請求の範囲】
【請求項１】
納入口を設けている品における、該納口を止める、栓、封止部材、封止具、又は留置の機能を有する該機能にスリット、切り溝、切り込み、切り替え、たすき掛け、たすき状、たすき、バネ、玉、球、円錐、はねあがる、跳ね返る、切りかえ、折り畳み、凹、凸、突起、斜面、磁石又はたたむ機能、構造、形態、形状を単数、複数又は組み合わせ設定する事を特徴とする品。
【請求項２】
請求項１に記載の品に於いて、機能、形状、構造、又は形態の変化を有する事を特徴とする品。
【請求項３】
請求項１、請求項２の少なくても何れか１つに記載の品に於いて、該品の全体、部分、又は該品に投入する納入物が分かる、見える材質にて製作する事を特徴とする品。
【発明の詳細な説明】
【技術分野】
【０００１】
本発明は、収納器（収める）(納まる)、貯溜容器、品（うつわ）等の止め、栓、封止に関する。
【背景技術】
【０００２】
現在種々の、収納器（収める）(納まる) (入れる)、貯溜容器、品（うつわ）等に関する物品が発明、発売されているが、該収納器（収める）(納まる)  (入れる)、貯溜容器、品（うつわ）等のそれら種々の物品等に品々を収める、納まる、入れた後に於いて封止、止めに付いて簡単に為す機能が無い（特に小さいネクレス、プレスレット、数珠その他該品等の該品に空洞を持ちその空洞に物品を納入が後、簡単に止める、栓、封止部材、封止具、留置をすると言う機能が無い）欠点等が発生する該場合の対策が取られて無かった。
【０００３】
この様な使用、処理等における使い勝手が悪い、該使用時、後の処置を欠く欠点があった。よって、今までにない画期的なものとして為すものとして該発明をした。
【先行技術文献】
【特許文献】
【０００４】
【特許文献１】登録実用新案登録題３０９２６３１号公報
【特許文献２】特開２０１４−１０８３６２号公報
【特許文献３】特開２０１４−１０４３３２号公報
【発明の概要】
【発明が解決しようとする課題】
【０００５】
本発明は、以上のような従来の欠点にかんがみ、使用、処理等における使い勝手良さ、処理の便利良さ、（格好良い、装着に於いても苦にならない）等を含めて、該収めた品の流失、落下、おちる、失くす、等を無くす為の該着装、保持、封止出来る全く新しい画期的な発明なものとして為す該発明をした品、（品とは品、物品、品物、商品、容器等を言う）を提供する事を目的としている。よって、該収納器（収める）(納まる)  (入れる)、貯溜容器、品（うつわ）等のそれら種々の品、物品等に品々、目的物を収める、納まる、入れた後に於いて封止、止めを簡単に為す機能を備える。該本発明に於いて、該納口を止める、栓、封止部材、封止具、又は留置の機能を有する該機能に下記載請求項等の発明を提供する。
【０００６】
請求項１  納入口を設けている品における、該納口を止める、栓、封止部材、封止具、又は留置の機能を有する該機能にスリット、切り溝、切り込み、切り替え、たすき掛け、たすき状、たすき、バネ、玉、球、円錐、はねあがる、跳ね返る、切りかえ、折り畳み、凹、凸、突起、斜面、磁石又はたたむ機能、構造、形態、形状を単数、複数又は組み合わせ設定する事を特徴とする品。
請求項２  請求項１に記載の品に於いて、機能、形状、構造、又は形態の変化を有する事を特徴とする品。
請求項３  請求項１、２の少なくても何れか１つに記載の品に於いて、該品の全体、部分、又は該品に投入する納入物が分かる、見える材質にて製作する事を特徴とする品。
【課題を解決するための手段】
【０００７】
上記目的を達成するために、本発明は、請求項１の構成要件とで構成している。
請求項１は、納入口を設けている品における、該納口を止める、栓、封止部材、封止具、又は留置の機能を有する該機能、構造、形態、形状にスリット、切り溝、切り込み、切り替え、たすき掛け、たすき状、たすき、バネ、玉、球、円錐、はねあがる、跳ね返る、切りかえ、折り畳み、凹、凸、突起、斜面、磁石又はたたむ機能、構造、形態、形状を単数、複数又は組み合わせ設定する事を特徴とする品。
【０００８】
然るに、該収納器（収める）(納まる)  (入れる)、貯溜容器、品（うつわ）等のそれら種々の品、物品等に納入口を設けている、該納入口から品々、目的物を収める、納まる、入れる。その後に於いて該納入口を封止、止めをして該品々、目的物が落ちない様、失わない様にするために、該納口を止める、封止する。
【０００９】
該封止等に於いて、栓、封止部材、封止具、又は留置の機能を有する該機能にて封止、止めをする、にあたり前記記載栓、封止部材、封止具、又は留置の該機能が納入口上部に接する面の上に長方形等の横凸の突起部少しはみだした形状を設定して納入口上部を塞ぎ該機能が納入口から、ずり落ちる事が無い様に形成される。
【００１０】
又納口の下部を塞ぐ機能は、止める、栓、封止部材、封止具、又は留置の機能の下部に突起体横凸を設定し該突起体が品、物体球体口内部下部の面に引っ掛かる封止、止めるをして品、物体から上部に該機能の止める、栓、封止部材、封止具、又は留置が飛び出ない様に形成され封止する。
【００１１】
よって、前記記載の１例を示した如く、更に例えば請求項１は、納入口を設けている品における、該納口を止める、栓、封止部材、封止具、又は留置の機能を有する該機能、構造、形態、形状に、スリット、切り溝、切り込み、切り替え、を部分又は全体に設けた止め機能に関して該機能、構造、形態、形状のたすき掛け、たすき状、たすき、バネ、玉、球、磁石、又は畳む事を単数、複数又は組み合わせを、スリット、切り溝、切り込み、又は切り替えに関与設定する事により、効果的に止める事が出来る。又、円錐、はねあがる、跳ね返る、切りかえ、折り畳み、凹、凸、突起、斜面、機能、構造、形態、形状を単数、複数又は組み合わせ設定する事にて止める特徴とする品。該機能を設定する事によりスム-ズに挿入、封止が簡単に出来る、該機能は種々雑多に有るが、その１例、一部を実施例によって説明いたします。
【００１２】
上記目的を達成するために、本発明は、請求項２の構成要件とで構成している。
請求項２は、請求項１に記載の品に於いて、機能、形状、構造、又は形態の変化を有する事を特徴とする品。尚、請求項１に記載の品に於いて、形状部分を形成し、（形状部分、形状の移動、形状の変化等含む）機能、形状、構造、形態の変化を設定する事を特徴とする品。
故に、請求項１に記載の品は、種々の品、物品等に納入口を設けている、該納入口から品々、目的物を収める、納まる、入れる。その後に於いて該納入口を封止、止めをして該品々、目的物が落ちない様、失わない様にするための請求項１に記載の特徴種々の該機能を備えている該機能に変化を為す形状、構造、形態を設定する。尚該変化の一部として形状部分を形成し、（形状部分、形状の移動、形状の変化等含む）形状、構造、形態の変化を求める事を特徴とする品。
【００１３】
止める、栓、封止部材、封止具、又は留置の機能の中央部の中心から下部に設けられた山形、円錐又はスリット、溝（円錐、山の斜面はコウチィングする、強く、弱くする）の変化構造は挿入時に下部突起体が該溝の空洞部をおして溝が縮む、狭くなり、下部突起体形状を品、物品の納入口、侵入通路に即した広さになり該挿入をスム-ズにする変化機能である。又止める、栓、封止部材、封止具、又は留置の機能の外周部にスリット溝を設定して該スリット溝に切り替え、たすき掛け、たすき状、たすき、バネ、はねあがる、跳ね返る、切りかえ、折り畳み、凹、凸、突起又はたたむ機能の形状部分を設定する、種々それぞれの用途に合わせた形状、構造、形態を為して該変化を生じ前記記載該機能を挿入、封止、止めをスム-ズにする等の変化機能である。
【００１４】
尚、突起は、止める、栓、封止部材、封止具、又は留置の機能の一部、全体に設定したスリット、溝に関与させて、変化を為す形態、形状、構造、形態と為す。
又磁石（球体、平面、立体等種々あり）の使用は、必要に添った形態と為し、例えば封止具等又は品の底辺に磁石を設定して封止具等が底辺に来たといき封止する機能。又磁石球、球体を設定された溝に内入させて該可動時該変化を及ぼし封止、止めをスム-ズにする等の変化機能をなす。
【００１５】
斜面、磁石又はたたむ機能は、１）斜面と斜面との上、下との対立関係に於いての設定に於いて互い違いにて封止できる構造に於いて磁石を必要箇所（底）に設定してより封止できる。２）球、磁石の球を前記記載の溝に設定して該球の可動を為し得る変化の封止できる構造。
【００１６】
上記目的を達成するために、本発明は、請求項３の構成要件とで構成している。
請求項３  請求項１、２の少なくても何れか１つに記載の品に於いて、該品の全体、部分、又は該品に投入する納入物が分かる、見える材質にて製作する事を特徴とする品。該品の全体、部分、共に見える又は該品に投入した納入物が外部から見える材質にて製造、製作する。例えば透明性のある材料を使用する事により該特徴を持つ事が出来る。
【発明の効果】
【００１７】
以上の説明から明らかのように、本発明にあっては次に列挙する効果が得られる。
【００１８】
請求項１の発明は、  納入口を設けている品における、該納口を止める、栓、封止部材、封止具、又は留置の機能を有する該機能にスリット、切り溝、切り込み、切り替え、たすき掛け、たすき状、たすき、バネ、はねあがる、跳ね返る、切りかえ、折り畳み、凹、凸、突起又はたたむ機能を設定する事を特徴とする品の構成要件とで構成されているので、品、物品に納入口を設け該納口を封止、止める機能が簡単にでき又該品、物品、容器を密閉する事が出来る効果を得る。該該納口を止める、栓、封止部材、封止具、又は留置の機能は品、物品、品物、商品、容器等種々有るので広範囲に、種別によって（形状、構造、又は形態）使い分け等を出来て、更にスリット、切り溝、切り込み、切り替え、たすき掛け、たすき状、たすき、バネ、はねあがる、跳ね返る、切りかえ、折り畳み、凹、凸、突起又はたたむ機能も前記記載該種別、使い方（形状、構造、又は形態等含んだ）等によって特殊な機能の封止を為す事が出来る効果をも得る。
【００１９】
請求項２の発明は、請求項１に記載の品に於いて、形状、構造、又は形態の変化を有する事を特徴とする品の構成要件とで構成されているので、請求項１に記載の品に、形状、構造、又は形態の変化を有した品は、可動、移動、挿入、密閉等種々の機能を良好と成す品、商品、容器が出来る効果を得る。更に請求項１に記載の品の、形状、構造、又は形態の変化を為す事が多岐に亘って為し特殊な機能の封止を為す事が出来る効果をも得る。
【００２０】
請求項３の発明は、  請求項１、２の少なくても何れか１つに記載の品に於いて、該品の全体、部分、又は該品に投入する納入物が分かる、見える材質にて製作する事を特徴とする品。よって、該品に投入した納入物が外部から見える材質（例えば透明）にて製造、製作は、必要な投入物の投入を知らしめる必要に応じた方法仕方でこれにより、御守り、氏名、住所、血液型、願事、知らせ等それぞれ種々様々な投入物によって他の人に、報知したり、（事故が起きたり、認知症の徘徊する、高齢者が迷ったり等他）、又安心を買ったり（お守り札）自分を守ったり、する事が透明性可にて出来る効果をもあり得る。
【図面の簡単な説明】
【００２１】
【図１】機構を示す断面図
【図２】機構を示す断面図
【図３】上面平面図
【図４】機構を示す断面図
【図５】機構を示す断面図
【図６】機構を示す断面作用
【図７】機構を示す断面図
【図８】機構を示す断面作用
【発明を実施するための形態】
【００２２】
以下、本発明の実施の形態を図に基づいて説明する。
なお、各実施の形態を通じ、同一の部材、要素または、部品、部分には同一の符号を付して、其の説明を省略する場合もある。
【実施例１】
【００２３】
図１は、本発明の実施例１の機構を示す断面図であって、該収納器（収める）(納まる)  (入れる)、貯溜容器、品（うつわ）等のそれら種々の品、物品等に納入口を設けている内の（ネクレス、数珠、装飾品等）プレスレットを以て説明する図である。プレスレットは多数の玉を繋いで構成されている該玉の内の１つの玉を以て描いだ構成図で、該部品玉に空洞を持たせ、その空洞に物品（例えばお守り紙、札、氏名、住所、血液型記載メモ等）必要とするものを納入する。その後に、封止部材（封止具、留置留める、止める、栓）にて納入口を止め封止した。該封止部材の形状の上部は、玉の外部外輪に接する納入口側に乗る、受ける突起凸物は、該上部に接する面の上に長方形等の凸が面に引っ掛かる様に設定して有り、納入口上部等を塞ぎ該機能が納入口から、ずり落ちる事が無い様に形成される。封止部材の中間部分は玉の納口穴体全体に接し封止(密閉も可)している。封止部材の下部分は持ち出し部分が（斜めに突起）玉部の内部内輪に接すし納口を封止(密閉も可)して封止部材の飛び出しを制止している図封止部材の中央部の中心から下部に設けられる山形、円錐の溝、切り欠きの設定を持つ。封止部材の挿入時に下部突起体が該溝の空洞部をおして溝が縮む変化構造をなす機能を発揮しスム-ズに挿入できる。
【実施例２】
【００２４】
図２は、本発明の実施例２の機構を示す断面図であって、本発明の実施例１の機構を示す図の封止部材の挿入可動、移動する際における封止部材の中央部の中心から下部に設けられる山形、円錐の溝、切り欠きの設定部分の変化構造つまり該溝の空洞部をおして溝が縮む変化構造をなしてスム-ズに挿入できる該可動時の変化図。（品（玉）全体の製作の材質は透明であるも可）
【実施例３】
【００２５】
図３は、本発明の実施例３の機構を示す断面図であって、図１、２の、本発明の実施例１、２の上面から見た図で丸い玉の上部に封止部材が設けられている図。（製作材質は透明も可）
【実施例４】
【００２６】
図４は、本発明の実施例４の機構を示す断面図であって、プレスレットは多数の玉を繋いで構成されている該玉の内の１つの玉を以て描いだ構成図で、該部品玉に空洞を持たせ、その空洞に物品（例えばお守り紙、札、氏名、住所、血液型記載メモ等）必要とするものを納入する。その後に、封止部材（封止具、留置留める、止める、栓）にて納入口を止め封止した。該封止部材の形状の上部は、玉の外部外輪に接する納入口側に乗る、受ける突起凸物は、該上部に接する面の上に長方形等の凸が面に引っ掛かる様に設定して有り、納入口上部等を塞ぎ該機能が納入口から、ずり落ちる事が無い様に形成される。丸い玉側の上部、外側の部分は、飾り形状面取りにて封止部材より浮かせてあり、身体に触れない様な工夫して身体に優しい。又丸い玉側の下部、内部の部分は突止ストパ-が設置されて封止部材を受けている
【実施例５】
【００２７】
図５は、本発明の実施例５の機構を示す断面図であって、プレスレットは多数の玉を繋いで構成されている該玉の内の１つの玉を以て描いだ構成図で、該部品玉に空洞を持たせ、その空洞に物品（例えばお守り紙、札、氏名、住所、血液型記載メモ等）必要とするものを納入する。その後に、封止部材（封止具、留置留める、止める、栓）にて納入口及び玉側の内部を該封止部材に設けた突止ストパ-止めにて封止した。該封止部材の下側に設けた突止ストパ-止めを設定したまま（飛び出したまま）に於いては突止ストパ-止めが玉体の内側に引掛かって挿入できないそこで該封止部材側の外部の部分に溝、スリット、切り欠きを設け、突止ストパ-止めの構造形態形状に機能（切り替え、たすき掛け、たすき状、たすき、バネ、はねあがる、跳ね返る、切りかえ、折り畳み、又はたたむ機能のこれら種々の機能の在り方、使用方法と共に構造形態形状の在り方により変える、組み立てる、使用する）を持たせ、突止ストパ-止め納入終わりに為るまで該突止ストパ-止めを溝、スリット、切り欠きの中に仕舞い込み納入が終わったら該突止ストパ-止めが飛び出して玉体の内側下部にきて引掛かって止める仕方の構造形態形状に機能の該封止部材が納まった所の図
【実施例６】
【００２８】
図６は、本発明の実施例６の機構を示す断面図であって、プレスレットは多数の玉を繋いで構成されている該玉の内の１つの玉を以て描いだ構成図で、該部品玉に空洞を持たせ、その空洞に物品（例えばお守り紙、札、氏名、住所、血液型記載メモ等）必要とするものを納入する。その後に、封止部材（封止具、留置留める、止める、栓）にて納入口及び玉側の内部を該封止部材に設けた突止ストパ-止めにて封止した。該封止部材の下側に設けた突止ストパ-止めを設定したまま（飛び出したまま）に於いては突止ストパ-止めが玉体の内側に引掛かって挿入できないそこで該封止部材側の外部の部分に溝、スリット、切り欠きを設け、突止ストパ-止めの形状をそこに収めて機能させる。図の左側は該機能を溝に収めるための、バネの構造で該機能突止ストパ-止めの構造形態の軌道を示す、又図の右側は該機能を溝に収めるための、折り畳みたすき状の構造で該機能突止ストパ-止め構造形態の軌道を示す、溝側に折り畳まれた該機能突止ストパ-止めは、溝を抜けたところで構造機能にて飛び出て広がって封止塞ぐ。（品（玉）全体の製作の材質は透明性有りも可）
【実施例７】
【００２９】
図７は、本発明の実施例７の機構を示す断面図であって、プレスレットは多数の玉を繋いで構成されている該玉の内の１つの玉（品）を以て描いだ構成図で、該部品玉に空洞を持たせ、その空洞に物品（例えばお守り紙、札、氏名、住所、血液型、迷い札紙、記載メモ等）必要とするものを納入する。その後に、封止部材（封止具、留置留める、止める、栓）にて納入口及び玉側の内部を該封止部材に設けた止めにて封止した。封止方法仕方として、玉（品）の納入口の入り口部分を（上部外側）大きく設定、中（下部内側）に往くほど狭く成る斜線の形状に構成に対応する封止部材入り口を（上部外側）大きく設定、中（下部内側）に往くほど狭く成る斜線の形状の逆円錐形の倣い完止形状にて設定する。更に玉（品）と封止部材
の底辺に磁石と鉄類を設定してストパ-止として封止する。
【実施例８】
【００３０】
図８は、本発明の実施例８の機構を示す断面図であって、プレスレットは多数の玉を繋いで構成されている該玉の内の１つの玉（品）を以て描いだ構成図で、該部品玉に空洞を持たせ、その空洞に物品（例えばお守り紙、札、氏名、住所、血液型、迷い札紙、記載メモ等）必要とするものを納入する。その後に、封止部材（封止具、留置留める、止める、栓）にて納入口及び玉側の内部を該封止部材に設けた止めにて封止した。又球の存在を２か所右、左の在り処に設け該それぞれの機能を示す。まず、左側は磁気を持たせた球を封止部材に設定する溝（溝の底には玉を受けるスットパ-がある）に挿入し該球は自在に可動して封止部材の挿入と共に玉と封止部材の底の鉄に吸い寄せられて玉と封止部材共に球を仲立ちして完封する。
【００３１】
次に、右側には鉄球を封止部材に設定する溝（溝の底には玉を受けるスットパ-がある）に挿入し該球は自在に可動できる、によって封止部材と玉との底に磁石が設定し該球は封止部材の挿入と共に玉と封止部材の底の磁石に吸い寄せられて玉と封止部材共に球を仲立ちして完封する。
【産業上の利用可能性】
【００３２】
本発明は、  装飾品、封じ込め品等を製造する産業で利用される。
【符号の説明】
【００３３】
１    封止部材
２    プレスレットの多数の玉の１つ
３    円錐
４    突止ストパ-止め
５    溝
６    バネ
７    折り畳みたすき状
８    磁石
９    鉄
１０  球
１１  鉄球
【図１】
2017000648.tif 000003
【図２】
2017000648.tif 000004
【図３】
2017000648.tif 000005
【図４】
2017000648.tif 000006
【図５】
2017000648.tif 000007
【図６】
2017000648.tif 000008
【図７】
2017000648.tif 000009
【図８】
2017000648.tif 000010